(57)【要約】【課題】極めて薄型の光ディスク装置においても十分な冷却を行うことができ、記録再生特性の劣化を低減させることができる光ディスク装置を提供することを目的とする。【解決手段】トレイ３の開口３ｃに裏面から挿入して光ピックアップモジュール４が取り付けられる際に、トレイ３の開口３ｆの下側に相当する位置であって、光ピックアップモジュール４のカバー６の開口６ａに沿って弾性部材１０が設けられている。弾性部材１０は、カバー６に接着等によって固定される固定部と、固定部より厚みの薄い弾性体からなる押圧部とから形成されている。押圧部は、光ピックアップモジュール４が取り付けられるときに、トレイ３によって押圧されて、トレイ３と光ピックアップモジュール４のカバー６との間の隙間を埋めるためのものである。【選択図】図２
2005339682.tif 000002
【特許請求の範囲】
【請求項１】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部と前記光ディスク装着領域部の外側に設けられた光ディスク装着領域外部を含み、前記光ディスク装着領域外部と前記光ピックアップモジュールとが対向するように前記トレイと前記光ピックアップモジュールを互いに結合させ、前記トレイの光ディスク装着領域外部であって前記第１の開口と対向する部分に第３の開口を設け、前記トレイに対して前記光ピックアップモジュールが取り付けられるときに、前記第３の開口の下方に相当する位置であって前記光ピックアップモジュールのカバーの第１の開口に沿って弾性部材が設けられたことを特徴とする光ディスク装置。
【請求項２】
前記弾性部材は、前記カバーに固定される固定部と、前記固定部より厚みの薄い弾性体からなる押圧部とから形成されたことを特徴とする請求項１記載の光ディスク装置。
【請求項３】
前記押圧部の少なくとも角部にはスリットが設けられていることを特徴とする請求項２記載の光ディスク装置。
【請求項４】
前記第１の主面側に光ディスクを装着し、光ディスクを回転駆動手段により回転させて光ディスクの外周部に生じる気体流を前記第３の開口を通して、前記トレイにおける前記第１の主面と反対側の第２の主面と前記筐体との間に導く手段を有することを特徴とする請求項１記載の光ディスク装置。
【請求項５】
前記第３の開口は前記光ディスク装着領域部と連通して設けられていることを特徴とする請求項１記載の光ディスク装置。
【請求項６】
前記第１の開口は回転駆動手段と光ピックアップモジュールの外端の間に設けられ、前記第１の開口の回転駆動手段と反対側の端部は、トレイの前端面側に設けられたことを特徴とする請求項１記載の光ディスク装置。
【請求項７】
前記第３の開口が回転駆動手段に対してトレイの前端面部分に設けられたことを特徴とする請求項１記載の光ディスク装置。
【請求項８】
前記筐体の中央部分の厚みが１４ｍｍ以下であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図１０に示す。
【０００４】
図１０において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。
【０００５】
トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図１０では一方の側部にのみレール３ａが設けられているが、他方の側部に同様のレールが設けられている。
【０００６】
光ピックアップモジュール４は光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源、各種光学部材及び光ディスク上に光スポットを構成する対物レンズなどが搭載されている。光ディスクに記録などを行う際には、高出力の光源や、その光源を駆動するＩＣ等が必要となってくる。その結果、光源やＩＣの発熱がおびただしくなって、記録再生特性に影響を及ぼすことが生じてきている。特に図１０に示すような光ディスク装置１においては、薄型化や小型化を求められているので、熱容量が低下し問題となっている。特に、筐体２の中央部分の厚みが１４ｍｍ以下、更には１０ｍｍ以下というような薄型の光ディスク装置１においては、この問題は顕著となる。
【０００８】
光ディスク装置内を冷却する方法については、例えば（特許文献１）、（特許文献２）に記載されている。
【特許文献１】特開平１１−２５６６７号公報
【特許文献２】特開２０００−２３１７８２号公報
【発明の開示】
【発明が解決しようとする課題】
【０００９】
これらは、光ディスクを回転させる際に生じる空気流をキャリッジ７に導いて、冷却する方法について記載したものであるが、これらの方法は、そもそも、筐体２の中央部の厚
みが１４ｍｍ以下或いは１０ｍｍ以下の光ディスク装置を想定しておらず、このような超薄型の光ディスク装置においては、冷却効果が充分であるとはいえない。
【００１０】
本発明者は、トレイの光ディスク装着側と反対側の領域に空気流を導入する手段を設けて冷却効果を高めた薄型光ディスク装置をすでに出願しているが、このタイプの光ディスク装置についても、空気流の導入によって冷却効果を得るために改善の余地があることがわかった。
【００１１】
本発明は、上記従来の課題を解決するもので、極めて薄型の光ディスク装置においても十分な冷却を行うことができ、記録再生特性の劣化を低減させることができる光ディスク装置を提供することを目的とする。
【課題を解決するための手段】
【００１２】
本発明は、上記の課題を解決するためになされたもので、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの第１の主面は光ディスク装着領域部と光ディスク装着領域部の外側に設けられた光ディスク装着領域外部を含み、光ディスク装着領域外部と光ピックアップモジュールとが対向するようにトレイと光ピックアップモジュールを互いに結合させ、トレイの光ディスク装着領域外部であって第１の開口と対向する部分に第３の開口を設け、トレイに対して光ピックアップモジュールが取り付けられるときに、第３の開口の下方に相当する位置であって光ピックアップモジュールのカバーの第１の開口に沿って弾性部材が設けられたことを特徴とする光ディスク装置である。
【００１３】
この構成により、トレイの主面の下側と光ピックアップモジュールのカバーとの間の隙間に空気流が漏れることを防止して、トレイの光ディスク装着側と反対側の領域に空気流を有効に導入することができる。そのため、光ディスクの回転によって筐体と光ディスクとの間の比較的温度の低い部分の空気を効果的に筐体とトレイとの間に導いて、効率よく空気流を循環させることができ、冷却効果が高い。特に薄型化及び小型化されディスク装置の熱対策を効果的に行うことができ、熱の発生による記録再生特性の劣化などの不具合を抑制することができる。
【発明の効果】
【００１４】
本発明によると、トレイの主面の下側と光ピックアップモジュールのカバーとの間の隙間に空気流が漏れることを防止して、トレイの光ディスク装着側と反対側の領域に空気流を有効に導入することができ、効率よく空気流を循環させることができるので、特に薄型化及び小型化された光ディスク装置の熱対策を行うことができ、熱による記録再生特性の劣化などの不具合を抑えることができる。
【発明を実施するための最良の形態】
【００１５】
本願の第１の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの第１の主面は光ディスク装着領域部と光ディスク装着領域部の外側に設けられた光ディスク装着領域外部を含み、光ディスク装着領域外部と光ピックアップモジュールとが対向するようにトレイと光ピックアップモジュールを互いに結合させ、トレイの光ディスク装着領域外部であって第１の開口と対向する部分に
第３の開口を設け、トレイに対して光ピックアップモジュールが取り付けられるときに、第３の開口の下方に相当する位置であって光ピックアップモジュールのカバーの第１の開口に沿って弾性部材が設けられたことを特徴とする光ディスク装置である。
【００１６】
この構成により、トレイの主面の下側と光ピックアップモジュールのカバーとの間の隙間に空気流が漏れることを防止して、トレイの光ディスク装着側と反対側の領域に空気流を有効に導入することができる。そのため、光ディスクの回転によって筐体と光ディスクとの間の比較的温度の低い部分の空気を効果的に筐体とトレイとの間に導いて、効率よく空気流を循環させることができ、冷却効果が高い。特に薄型化及び小型化されディスク装置の熱対策を効果的に行うことができ、熱の発生による記録再生特性の劣化などの不具合を抑制することができる。
【００１７】
本願の第２の発明は、第１の発明の光ディスク装置において、弾性部材は、カバーに固定される固定部と、固定部より厚みの薄い弾性体からなる押圧部とから形成されたことを特徴とする。
【００１８】
この構成により、光ピックアップモジュールが組み込まれる際に弾性部材がトレイによって押圧されることによって、光ピックアップモジュールのカバーとトレイの主面の下側との間の隙間を効果的に充填することができる。
【００１９】
本願の第３の発明は、第１の発明の光ディスク装置において、押圧部の少なくとも角部にはスリットが設けられていることを特徴とする。
【００２０】
この構成により、押圧時における押圧部の変形を小さくして、より有効に光ピックアップモジュールのカバーとトレイの主面の下側との間の隙間を埋めることができる。
【００２１】
本願の第４の発明は、第１の発明の光ディスク装置において、第１の主面側に光ディスクを装着し、光ディスクを回転駆動手段により回転させて光ディスクの外周部に生じる気体流を第３の開口を通して、トレイにおける第１の主面と反対側の第２の主面と筐体との間に導く手段を有することを特徴とする。
【００２２】
この構成により、光ディスク装置において熱の発生により高温となるやすい領域に空気流を導くことができ、冷却効果を高めることができる。
【００２３】
本願の第５の発明は、第１の発明の光ディスク装置において、第３の開口は光ディスク装着領域部と連通して設けられていることを特徴とする。
【００２４】
この構成により、筐体と光ディスクとの間の比較的温度の低い部分の空気を、光ディスクの回転に伴って筐体とトレイとの間に導く際に、散乱させることなく直接導くことができ、空気流導入の効率がよい。
【００２５】
本願の第６の発明は、第１の発明の光ディスク装置において、第１の開口は回転駆動手段と光ピックアップモジュールの外端の間に設けられ、第１の開口の回転駆動手段と反対側の端部は、トレイの前端面側に設けられたことを特徴とする。
【００２６】
この構成により、光ディスク装置が電子機器などに装着された際に、外気に近い側に第３の開口を配置できるため、冷却効果が高い。
【００２７】
本願の第７の発明は、第１の発明の光ディスク装置において、第３の開口が回転駆動手段に対してトレイの前端面部分に設けられたことを特徴とする。
【００２８】
この構成により、光ディスク装置が電子機器などに装着された際に、外気に近い側に第３の開口を配置できるため、冷却効果が高い。
【００２９】
本願の第８の発明は、第１の発明の光ディスク装置において、筐体の中央部分の厚みが１４ｍｍ以下であることを特徴とし、このような薄型の光ディスク装置において特に冷却効果が顕著である。
【００３０】
（実施の形態１）
以下、本発明における光ディスク装置の実施の形態について説明する。
【００３１】
図１は本発明の一実施の形態における光ディスク装置の斜視図である。
【００３２】
図１において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。
【００３３】
筐体部２ａと筐体部２ｂとは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものも用いられる。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工などによって形成される。また、平均肉厚の比較的厚い場合には筐体部２ａ及び筐体部２ｂはダイカスト（アルミ，マグネシウム合金など）で構成される。
【００３４】
トレイ３は、樹脂製のフレームで構成され、開口３ｃが設けられている。トレイ３の両側部には移動自在にレール３ａが設けられ、このレール３ａはトレイ３に一体に設けられたレール保持部３ｂに保持されている。なお、図１では一方の側部にのみレール３ａが設けられているが、他方の側部に同様のレールが設けられている。
【００３５】
トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部３ｅが設けられており、光ディスク装着領域部３ｄは光ディスク装着領域外部３ｅに対して１．５ｍｍから４ｍｍ程度（装着される光ディスクの厚みと同じかやや大きい程度）陥没した凹部を形成している。
【００３６】
本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディスクの直径と同じか１ｍｍ〜７ｍｍほど大きくなっている。光ディスク装着領域外部３ｅは概略三角形状となっている。また、光ディスク装着領域部３ｄは光ディスクを装着した際には、光ディスクと対向する部分を含み外周部にわずかな隙間を有する領域を示しており、光ディスク装着領域外部３ｅは、光ディスクの主面とは全く対向しない領域である。
【００３７】
光ディスク装着領域部３ｄには開口３ｃが設けられており、開口３ｃに裏面から挿入して光ピックアップモジュール４が取り付けられている。
【００３８】
光ディスク装着領域部３ｄのほぼ中心にはスピンドルモータ５が設けられている。光ディスク装着領域部３ｄは、トレイ３の一部の表面とカバー６の表面で主に形成されている。開口３ｃからは、スピンドルモータ５の少なくとも一部が突出しており、しかもキャリッジ７及びカバー６も表出している。
【００３９】
光ピックアップモジュール４は光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７には高出力のレーザーダイオード等の光源、各種光学部材及び光ディスク上に光スポットを構成する対物レンズ、光源を駆動するＩＣなどが搭載されている。キャリッジ７は光ピックアップモジュール４に設けられた複数の案内シャフト（図示せず）に移動自在に保持されており、しかもフィードモータ（図示せず）によって、スピンドルモータ５に近づいたり、離れたりするように移動する。
【００４０】
８はトレイ３の前端面に設けられたベゼルで、ベゼル８は筐体２の開口を塞ぐ程度の大きさで構成されている。
【００４１】
本発明の実施の形態においては、ベゼル８側の光ディスク装着領域外部３ｅのうち、光ピックアップモジュール４が取り付けられるときに、開口６ａと対向する部分には開口３ｆが設けられている。この開口３ｆは、トレイ３で構成される外壁３ｇによって構成されている。このように開口３ｆを設けることによって、光ディスク装着領域外部３ｅにおいても開口６ａが表出している。
【００４２】
また、図２、図３に示すように、トレイ３の開口３ｃに裏面から挿入して光ピックアップモジュール４が取り付けられる際に、トレイ３の開口３ｆの下側に相当する位置であって、光ピックアップモジュール４のカバー６の開口６ａに沿って弾性部材１０が設けられている。弾性部材１０は、図３、図４に示すように、カバー６に接着等によって固定される固定部１１と、固定部１１より厚みの薄い弾性体からなる押圧部１２とから形成されている。押圧部１２は、光ピックアップモジュール４が取り付けられるときに、トレイ３によって押圧されて、トレイ３と光ピックアップモジュール４のカバー６との間の隙間を埋めるためのものである。弾性部材１０は、ネオプレン、シリコンなどの発砲性ゴム、ポリエチレン系、ウレタン系の樹脂、または、フェルト、エラストマー、ポリプロピレンなどの柔軟性材質を用いて形成することができる。
【００４３】
図４（ａ）は、弾性部材の形状の詳細を示しており、図４（ｂ）は、図４（ａ）に示す弾性部材１０を拡大して下側から見た図である。弾性部材１０はまた、図５（ａ）に示すように、押圧部１２の角部にスリットを設けて、押圧時のよじれや波うちなどの不必要な変形を小さくして、より有効に隙間を埋めることもできる。さらに、図５（ｂ）に示すように、角部以外にもスリット１３を設けると、さらに押圧時の不必要な変形を小さくすることができる。
【００４４】
以上のように、弾性部材１０を用いて光ピックアップモジュール４をトレイ３に取り付けることとした理由を以下に説明する。
【００４５】
光ピックアップモジュール４をトレイ３に取り付ける際には、トレイ３の主面の下側に対して、光ピックアップモジュール４のカバー６が間隙を生じるようになっている。これは、光ディスクの外部で発生した振動が直接に光ピックアップモジュール４に伝わらないようにして、光ピックアップを構成する光学系が振動によって影響を受けないようにするためであり、また、光ピックアップモジュール４のカバー６の高さにばらつきが生じやすく、ねじれを生じやすいことを考慮したためである。
【００４６】
ところが、トレイ３に開口３ｆを設けて、光ディスク９の回転によって光ディスク９の外周部で発生する空気流をトレイ３の光ディスク装着側と反対側の領域に導入して、キャリッジ７を冷却しようとすると、トレイ３の主面の下側と光ピックアップモジュール４のカバー６との間に隙間があると、この隙間によって空気流が漏れてしまい、光ディスク装着側と反対側の領域に空気流を有効に導入することができなくなり、冷却効果が薄れてしまう。本発明では、上述した弾性部材１０をカバー６上に配置することによって、トレイ３の主面の下側と光ピックアップモジュール４のカバー６との間の隙間に空気流が漏れることを防止して、光ディスク装着側と反対側の領域に空気流を有効に導入して冷却効果を高めている。
【００４７】
この構成によって実現される空気の流路を図６に示す。スピンドルモータ５によって回転駆動された光ディスク９によって発生した空気流は、光ディスク９の外周部で比較的強い空気流となっており、しかもその空気流は、トレイ３に設けられた開口３ｆからトレイ３の光ディスク装着側と反対側の領域（トレイ３と筐体部２ｂで挟まれた空間）に効率的に流れ込む。すると、反対側の領域には、高出力の光源や光源の駆動ＩＣ等が搭載されたキャリッジ７が存在するので、上記空気流の流入により、空気が拡散されることで、効果的に光源などの冷却を行うことができる。特に、光ピックアップモジュール４のカバー６の上側に弾性部材１０を設けているため、空気流が確実に光ディスク装着側と反対側の領域に導入される。
【００４８】
図７（ａ）に、取り付ける前の弾性部材１０の断面形状を示す。また、図７（ｂ）に、弾性部材１０をトレイ３とカバー６との間に取り付けたときの断面形状を示す。弾性部材１０は弾性材料で形成されているため、撓むことで不必要な力（反力）を与えることなく、風の逃げ（漏れ）を阻止することができる。また取り付け図のように撓むことで、よりスムーズな風の案内を形成できる。
【００４９】
図８に、トレイ３の上方から見たときの空気の流れを示す。矢印Ａ方向に光ディスクが回転すると、矢印Ｂ方向の空気流が発生し、この空気流は直接開口３ｆからトレイ３と筐体部２ｂとの間に流れ込むととともに、外壁３ｈに沿った空気流が外壁３ｇによって流れを阻害されることによって、効果的に開口３ｆに流れ込む。
【００５０】
この構成では、光ディスクを装着して筐体２にトレイ３を収納した場合、光ディスクの回転によって筐体部２ａと光ディスクとの間の比較的温度の低い部分の空気をも効果的に筐体部２ｂとトレイ３との間に導くことができ、冷却効果が高い。
【００５１】
従来の技術の様に、単に空気の流路を構成するのでは、筐体２の中央部分の厚みが１４ｍｍ以下或いは１０ｍｍ以下の光ディスク装置においては効果的な冷却は困難であったが、本実施の形態の構成により、非常に効果的に光ディスクで発生した空気流をキャリッジ７のほとんどが収納される筐体部２ｂとトレイ３との間の空間に導くことができるので、極めて高い冷却性能を得ることができる。
【００５２】
本実施の形態では、光ディスク装着領域部３ｄと連なるように光ディスク装着領域外部３ｅに開口３ｆを設けており、装着された光ディスクの外周部と開口３ｆとが極めて近い位置となるように（１０ｍｍ以内となるように）構成することができる。そのため、効果的に空気流を導くことができる。
【００５３】
また、本発明の実施の形態では、光ディスク装着領域部３ｄとトレイ３の前端面側、すなわちベゼル８を設けた側の端部との間に開口３ｆを設けている。さらに、開口６ａもスピンドルモータ５とトレイ３のベゼル８を設けた端部との間に亘って形成されており、し
かも開口６ａの長手方向はベゼル８とは非垂直となるように傾斜して設けられている。このように開口３ｆをトレイ３のベゼル８側に配置したことで、通常筐体２部分はパーソナルコンピュータなどの電子機器の中に収容され、ベゼル８側は電子機器の外側に配置される構成となるので、比較的冷却された空気などを流入させやすくなる。
【００５４】
本実施の形態では、気体流として空気を用いたが、他の気体を用いても良い。
【００５５】
なお、図９に弾性部材１０の他の実施例を示す。図９（ａ）は単純な板状の弾性体であり、トレイ３とカバー６の間で弾性変形して、隙間をふさぐ。図９（ｂ）は図９（ａ）と同じ単純な板状の弾性体であり、取り付け作業がやり易いように、光ディスク装着領域外部３ｅの領域内で一部を広げている。図９（ｃ）は板状にリブ状の変形部１４を設けた形状のものを示す。これらの実施例のように弾性部材１０は、光ディスク装着領域外部３ｅの領域内で空気流を遮ることができれば、形状は自由である。
【産業上の利用可能性】
【００５６】
本発明の光ディスク装置は、効率よく空気流を循環させることができるので、特に薄型及び小型化された光ディスク装置の熱対策を行うことができ、熱による記録再生特性の劣化などの不具合を抑えることができる。そのため、パーソナルコンピュータ、ノートブック型コンピュータなどの電子機器に適用して利用することができる。
【図面の簡単な説明】
【００５７】
【図１】本発明の一実施の形態における光ディスク装置においてトレイを引き出した状態を示す斜視図
【図２】本発明の一実施の形態における光ディスク装置における光ピックアップモジュールとトレイの組み立て状況を示す斜視図
【図３】光ピックアップモジュールのカバーへの弾性部材の取り付け状況を示す図
【図４】弾性部材の形状を示す図
【図５】弾性部材にスリットを形成した図
【図６】本発明の一実施の形態における光ディスク装置において空気流の流路を示す図
【図７】（ａ）取り付ける前の弾性部材の断面形状を示す図、（ｂ）弾性部材をトレイとカバーとの間に取り付けたときの断面形状を示す図
【図８】トレイの上方から見たときの空気の流れを示す図
【図９】弾性部材形状を示す図
【図１０】従来の光ディスク装置を示す斜視図
【符号の説明】
【００５８】
１    光ディスク装置
２    筐体
２ａ、２ｂ    筐体部
３    トレイ
３ａ    レール
３ｂ    レール保持部
３ｃ    開口
３ｄ    光ディスク装着領域部
３ｅ    光ディスク装着領域外部
３ｆ    開口
３ｇ    外壁
３ｈ    外壁
４    光ピックアップモジュール
５    スピンドルモータ
６    カバー
６ａ    開口
７    キャリッジ
８    ベゼル
９    光ディスク
１０    弾性部材
１１    固定部
１２    押圧部
１３    スリット
１４    リブ状の変形部
【図１】
2005339682.tif 000003
【図２】
2005339682.tif 000004
【図３】
2005339682.tif 000005
【図４】
2005339682.tif 000006
【図５】
2005339682.tif 000007
【図６】
2005339682.tif 000008
【図７】
2005339682.tif 000009
【図８】
2005339682.tif 000010
【図９】
2005339682.tif 000011
【図１０】
2005339682.tif 000012